(57)【特許請求の範囲】
【請求項１】
冷蔵庫本体は、第一の天面部と、冷蔵庫背面側で前記第一の天面部より低い位置に設けた第二の天面部とを有して前記冷蔵庫本体の天面部に段差部を形成し、前記第二の天面部に圧縮機を備え、前記段差部と相対する庫内側に形成された庫内凸部の下端面よりも上側に備えられた第一の庫内照明装置と、前記庫内凸部の下端面よりも下側に備えられた第二の庫内照明装置とを備え、前記第一の庫内照明装置は前記庫内凸部の前面側の庫内背壁面に配置され、前記第二の庫内照明装置は前記庫内凸部より下方の庫内背壁面に配置されることにより、前記第一の庫内照明装置と前記第二の庫内照明装置とが奥行き方向に位置をずらしていずれも庫内背壁面に配置されている冷蔵庫。
【請求項２】
前記第一の庫内照明装置は前記庫内凸部の前面側の背壁面と下面とにまたがる角部に備えられ、前記第二の庫内照明装置は前記庫内凸部より下方の背壁面に備えられた請求項１に記載の冷蔵庫。
【請求項３】
前記庫内凸部の下端面よりも下側の庫内空間が、前記第一の庫内照明装置と前記第二の庫内照明装置によって上面と背面からの２方向から照射される請求項１または２に記載の冷蔵庫。
【請求項４】
前記庫内には収納棚を有し、前記収納棚は光透過可能な材料で構成された請求項１から３のいずれか一項に記載の冷蔵庫。
【請求項５】
前記第一の庫内照明装置はランプカバーを有し、前記ランプカバーの前面と下面の少なくとも一部が光透過可能な材料から形成される請求項１から４のいずれか一項に記載の冷蔵庫。
【請求項６】
前記照明装置の光源には蛍光管もしくはＬＥＤなどの発光素子を設けた請求項１から５のいずれか一項に記載の冷蔵庫。
【請求項７】
冷蔵庫本体は、前記第二の天面部より冷蔵庫背面側で前記第二の天面部より低い位置に設けられた第三の天面部を有して、前記段差部より冷蔵庫背面側で前記段差部より低い位置に第二の段差部を形成し、前記第三の天面部の上方空間に制御基板と冷媒配管の一部を設け、前記第二の段差部と相対する庫内側に形成された庫内第二凸部に照明装置を設けた請求項１から６のいずれか一項に記載の冷蔵庫。
【請求項８】
冷蔵庫本体は、前記照明装置の水平方向における投影面以外の背壁面に制御基盤を配置した請求項１から６のいずれか一項に記載の冷蔵庫。
【発明の詳細な説明】
【技術分野】
【０００１】
本発明は圧縮機を天面部に積載した冷蔵庫に関するものである。
【背景技術】
【０００２】
近年、冷蔵庫は地球環境保護の観点から更なる省エネルギー化が進むとともに、その使い勝手や収納性の向上が求められている。
【０００３】
従来のこの種の冷蔵庫は、最下部に配設された貯蔵室の収納容積のアップを図る目的のために、断熱箱体の貯蔵室内最上部の後背部が下がるように窪ませた凹部を設け、その凹部に冷凍サイクルの構成機器を収納するという方法がとられていた（例えば、特許文献１参照）。
【０００４】
図１０は、特許文献１に記載された従来の冷蔵庫の構成を示すものである。
【０００５】
図１０示すように、断熱箱体１は、上から順に、冷蔵室２、冷凍室３、野菜室４を有し、冷蔵室２の前面開口には、冷蔵室回転扉５を設けている。また、断熱箱体１の中央から下方部に位置する冷凍室３と野菜室４は収納性と使い勝手を考慮して、簡易に取り出しが行える引出しタイプの冷凍室引出し扉６と野菜室引出し扉７を設けてある。冷蔵室２の庫内には複数の収納棚８が設けられており、冷凍室３と野菜室４には上面開口形状の収納容器９が取り付けてある。この収納容器９は図示しない前後方向のレールに、ローラで前後方向へ移動可能に支持されている。
【０００６】
断熱箱体１に設けた凹部１０は、外箱上面１１と外箱背面１２に渡る天面後背部を冷蔵室２の最上部の後背部が下がるように窪ませた箇所である。凹部１０はその左右が断熱箱体１の左右壁にて塞がれ上方および背方に開放しており、この凹部１０の開放部は、上板１３とこれにほぼ直角な背板１４とからなる凹部カバー１５にて覆われている。また、凹部カバー１５はネジなどにて断熱箱体１に取外し可能に固定されている。
【０００７】
冷凍サイクルの構成機器である圧縮機１６と凝縮器１７は機械室ファン１８と共に凹部１０内に収まるように配設され、凹部カバー１５にて覆われている。また、凹部カバー１５の上板１３と背板１４には、放熱のために複数の通風孔１９が設けられている。
【０００８】
また、冷凍サイクルの構成機器である蒸発器２０は冷凍室２の後背部に冷却ファン２１と共に配設されており、最下部の貯蔵室である野菜室４は奥行き深く構成してある。
【０００９】
これにより、断熱箱体１の背面下部に圧縮機１６や凝縮器１７を収納するものと比較して、野菜室４の内容積を大きく、深く構成できる。
【特許文献１】特開２００１−９９５５２号公報
【発明の開示】
【発明が解決しようとする課題】
【００１０】
しかしながら、上記従来の構成では、圧縮機や凝縮器や冷媒配管や制御基板を収納する凹部が大きいので冷蔵室庫内の天面奥部がでっぱり、内容積が減少するとともに、冷蔵室のスッキリ感を阻害し、手狭な印象を与える。
【００１１】
また、冷蔵庫の制御基板は省エネルギー化や高機能化に伴い、どんどん複雑化、そして大型化している。また省エネや静音化のために用いられるインバーター圧縮機の制御回路のコンデンサや放熱フィン、さらには電源トランスなど制御基板の高さ方向についても大型化が進んでおり、制御基板を収納するためには非常に大きな空間が必要となっている。このため、凹部はさらに大きな空間が必要となり、ますます庫内は狭くなる。
【００１２】
そのため冷蔵室の庫内へのでっぱりは大きくなり、特に奥の食品を取り出す際、このでっぱりが影となり、見にくくなる。
【００１３】
本発明は、上記従来の課題を解決するもので、最下段の貯蔵室の内容積を拡大した上で、庫内凸部による陰影を解消するように庫内照明を設置して、照明効果を向上させる冷蔵庫を提供することを目的とする。
【課題を解決するための手段】
【００１４】
上記従来の課題を解決するために、本発明の冷蔵庫は、冷蔵庫本体は、第一の天面部と、冷蔵庫背面側で前記第一の天面部より低い位置に設けた第二の天面部とを有して前記冷蔵庫本体の天面部に段差部を形成し、前記第二の天面部に圧縮機を備え、前記段差部と相対する庫内側に形成された庫内凸部の下端面よりも上側に備えられた第一の庫内照明装置と、前記庫内凸部の下端面よりも下側に備えられた第二の庫内照明装置とを備え、前記第一の庫内照明装置は前記庫内凸部の前面側の庫内背壁面に配置され、前記第二の庫内照明装置は前記庫内凸部より下方の庫内背壁面に配置されることにより、前記第一の庫内照明装置と前記第二の庫内照明装置とが奥行き方向に位置をずらしていずれも庫内背壁面に配置されていることを特徴とする。
【００１５】
これによって、最下段の貯蔵室の内容積を拡大した上で、庫内凸部によって陰影ができにくいように庫内照明を設置することで、収納性をそこなうことなく照明効果を向上させることができる。
【発明の効果】
【００１６】
本発明の冷蔵庫は、最下段の貯蔵室の内容積と奥行きを拡大するのに加え、最下段の貯蔵室の内容積を拡大した上で、庫内凸部によって陰影ができにくいように庫内照明を設置することで、収納性をそこなうことなく照明効果を向上させることができるので、冷蔵庫の使い勝手を大きく向上させることができる。
【発明を実施するための最良の形態】
【００１７】
請求項１に記載の発明は、冷蔵庫本体は、第一の天面部と、冷蔵庫背面側で前記第一の天面部より低い位置に設けた第二の天面部とを有して前記冷蔵庫本体の天面部に段差部を形成し、前記第二の天面部に圧縮機を備え、前記段差部と相対する庫内側に形成された庫内凸部の下端面よりも上側に備えられた第一の庫内照明装置と、前記庫内凸部の下端面よりも下側に備えられた第二の庫内照明装置とを備え、前記第一の庫内照明装置は前記庫内凸部の前面側の庫内背壁面に配置され、前記第二の庫内照明装置は前記庫内凸部より下方の庫内背壁面に配置されることにより、前記第一の庫内照明装置と前記第二の庫内照明装置とが奥行き方向に位置をずらしていずれも庫内背壁面に配置されていることを特徴とする。
【００１８】
これによって、最下段の貯蔵室の内容積を拡大した上で、庫内凸部によって陰影ができにくいように庫内照明を設置することで、収納性をそこなうことなく照明効果を向上させることができるので、冷蔵庫の使い勝手を大きく向上させることができる。
また、人間の視覚は同じスペースであれば、その空間が明るい程広く見えるという視覚効果があるので、このように照明を配置することで、庫内凸部の前方空間が照明によって最も明るく照らされ、最も奥行きが狭く収納空間の小さい庫内凸部の前方空間が実際の空間よりもより広く感じられるので、使用者が視覚的に感じる庫内凸部の出っ張り感をさらに軽減することができる。
また、背面に用いた２つの照明装置は奥行き方向にずらして配置してあるので、ランプ自身が他のランプの影になることがなく、光りの投射方向が異なるので、効率の良い照明が可能である。
【００１９】
また、庫内凸部の前方および下方にも光が行き届くこととなり、収納物を明るく照らすことができる上で、使用者が視覚的に感じる庫内凸部の出っ張り感をも軽減することができる。
【００２０】
また、請求項２に記載の発明は、請求項１に記載の冷蔵庫において、前記第一の庫内照明装置は前記庫内凸部の前面側の背壁面と下面とにまたがる角部に備えられ、前記第二の庫内照明装置は前記庫内凸部より下方の背壁面に備えられたことを特徴とする。
【００２１】
これにより、光の照射方向が通常では前面だけになるが、下方にも増えるため、少ない光源で効率よく照明効果を得ることができる。
【００２２】
また、角部であるため平面部より、効率よく照明部の空間を活用でき庫内へのでっぱりを小さくすることができる。
【００２７】
また、請求項３に記載の発明は、請求項１または２に記載の冷蔵庫において、前記庫内凸部の下端面よりも下側の庫内空間が、前記第一の庫内照明装置と前記第二の庫内照明装置によって上面と背面からの２方向から照射されることを特徴とする。
【００２８】
これにより、第一の庫内照明装置から下方に光が照射されることになり、陰ができやすく暗くなりやすい下面、奥面まで光が届くので、庫内を明るくすることができる。さらに第二の庫内照明装置によって背面側からも庫内が照射されるので、庫内凸部が影になることがなく、庫内全体を明るくすることができる。また、このように２方向から照明することで、より立体的な照射が可能となり、実用面で明るく効果的な庫内照明が実現できる。
【００２９】
また、請求項４に記載の発明は、請求項１から３のいずれか一項に記載の冷蔵庫において、前記庫内には収納棚を有し、前記収納棚は光透過可能な材料で構成されたことを特徴とする。
【００３０】
これにより、第一の庫内照明装置の下方部に収納棚を設置した場合でも、第一の庫内照明装置から下方に光が照射されることになり、陰ができやすく暗くなりやすい下面、奥面まで光が届くので、庫内を明るくすることができる。
【００３１】
また、請求項５に記載の発明は、請求項１から４のいずれか一項に記載の冷蔵庫において、前記第一の庫内照明装置はランプカバーを有し、前記ランプカバーの前面と下面の少なくとも一部が光透過可能な材料から形成されることを特徴とする。
【００３２】
これによって、第一の庫内照明装置よりも下側の収納空間にも第一の庫内照明装置からの光がランプカバーの下端面を通して庫内に照射されるので、下側の収納空間に上面からの照明を与えることができる。また、このように２方向から照明することで、より立体的な照射が可能となり、実用面で明るく効果的な庫内照明が実現できる。
【００３３】
また、請求項６に記載の発明は、請求項１から５のいずれか一項に記載の冷蔵庫において、前記照明装置の光源には蛍光管もしくはＬＥＤなどの発光素子を設けたものであり、冷蔵庫の消費電力をより低減した上で充分な明るさを確保した照明装置を設けることができる。
【００３４】
また、請求項７に記載の発明は、請求項１から６のいずれか一項に記載の冷蔵庫において、冷蔵庫本体は、前記第二の天面部より冷蔵庫背面側で前記第二の天面部より低い位置に設けられた第三の天面部を有し、前記第三の天面部の上方空間に制御基板と冷媒配管の一部を設け、前記第三の天面と相対する庫内側に庫内第二凸部を形成し、前記庫内第二凸部に照明装置を設けたことを特徴とする。これにより、背面側に制御基板を配置してできる庫内へのでっぱりによって発生する特に奥の影になる部分にも光を照射することができ、かつ照明部の突出のすくない、収納性にすぐれた庫内を提供できる。
【００３５】
また、すぐ背面に基板部があり、組立工程においてコードの長さも最小限にすることができる。さらに、照明部背面が比較的高温であるため、壁厚を薄くしても結露することないため、内容積を拡大することができるとともに庫内へのでっぱりを小さくすることができ、庫内の凸凹を最小限としスッキリ感を向上することができる。
【００３６】
また、請求項８に記載の発明は、請求項１から６のいずれか一項に記載の冷蔵庫において、冷蔵庫本体は、前記照明装置の水平方向における投影面以外の背壁面に制御基盤を配置したことを特徴とする。これによって、断熱壁の厚さを確保した上で庫内背面方向の段差を軽減し、凸凹の少ない効率的な構成が可能となり、見栄えよくすることができ、庫内のスッキリ感を向上させることができる。
【００３７】
（実施の形態１）
図１は、本発明の実施の形態１における冷蔵庫の概略断面図を示すものである。なお、背景技術と同一構成については同一符号を付す。
【００３８】
図１において、例えば硬質発泡ウレタンなどの断熱材で周囲と断熱して構成されている断熱箱体１は複数の断熱区画に区分されており、上から冷蔵室２、引出しタイプの野菜室４と冷凍室３の構成となっている。各断熱区画にはそれぞれ断熱扉がガスケット２２を介して設けられている。上から冷蔵室回転扉５、野菜室引出し扉７、冷凍室引出し扉６である。
【００３９】
冷蔵室回転扉５には扉ポケット２３が収納スペースとして設けられており、庫内には複数の収納棚８が設けられてある。また冷蔵室２の最下部には引出し可能な貯蔵ケース２４が設けてある。
【００４０】
冷蔵室２は冷蔵保存のために凍らない温度を下限に通常１〜５℃で設定されている。また、貯蔵ケース２４は肉魚などの保鮮性向上のため比較的低めの温度、たとえば−３〜１℃で設定される。野菜室４は冷蔵室２と同等もしくは若干高い温度設定の２℃〜７℃とすることが多い。低温にすれほど葉野菜の鮮度を長期間維持することが可能である。
【００４１】
冷凍室３は冷凍保存のために通常−２２〜−１８℃で設定されているが、冷凍保存状態の向上のために、たとえば−３０や−２５℃の低温で設定されることもある。
【００４２】
断熱箱体１の天部は背面方向に向かって階段状に凹みを設けて、第一の天面部２５と、第二の天面部２６と第三の天面部２７とで構成されており、第一の天面部２５と第二の天面部２６を前後方向に接続する面と第二の天面部２６とで段差部２６ａが形成されており、第二の天面部２６と第三の天面部２７とを前後方向に接続する面と第三の天面部２７とで第二の段差部２７ａが形成されている。
【００４３】
冷凍サイクルは圧縮機１６と凝縮器１７とキャピラリなどの減圧器２８と水分除去を行う図示しないドライヤと蒸発器２０とを環状に接続して構成されている。凝縮器１７と蒸発器２０は機械室ファン１８と冷却ファン２１とで強制対流熱交換させている。
【００４４】
また、凝縮器１７は強制対流方式のものに加えて、断熱箱体１の周囲鋼板を利用して自然放熱するための配管や、各室断熱扉体間の仕切りに配設して防滴防止を行うための配管を組み合わせてもよい。
【００４５】
冷凍サイクルの構成部品である圧縮機１６は断熱箱体１背面に向かって中央寄りの位置に設置してある。
【００４６】
凝縮器１７はワイヤータイプやフィンコイルタイプやスパイラルフィンタイプなどの薄型構成で第一の天面部２５の上方空間に配設してある。
【００４７】
第二の天面部２６の相対する庫内凸部４０には照明装置４１が配置されており、ランプカバー４２、電球４３、ソケット４４で構成されている。このとき、ランプカバー４２は光透過性材料でできており、庫内凸部４０の冷蔵庫正面から見て、前面と下面にまたがり、断面は略Ｌ字形となっており、照明装置４１内の空間を構成している。ランプカバー４２の前面部にはスリット穴４５、下面には切欠き部４６を設けている。
【００４８】
冷凍サイクルを動作させる制御基板３２は第三の天面部２７の上方空間部に設けた基板収納部３３に取外し可能なカバーで密閉して配置されている。制御基板３２はプリント基板上に電子部品を実装するので薄く板状の形状をしている。また、第一、第二および第三の天面部２５、２６、２７の上方には天面カバー３４がビスなどで取外し可能に設けられており、背面は第三の天面部２７から上方まとめて一枚の背面カバー３５が取外し可能に設けられている。
【００４９】
また、冷凍サイクルの構成機器である蒸発器２０は冷却ファン２１と共に、中段に位置する野菜室４の背面部に設けられている。これにより最下段の貯蔵室である冷凍室３の内容積と奥行きを最大限に大きくすることが可能である。
【００５０】
なお、中段の野菜室４と最下段の冷凍室３は逆の構成となれば、野菜室の内容積と奥行きを最大限に大きくすることが可能となる。
【００５１】
以上のように構成された冷蔵庫について、以下その動作、作用を説明する。
【００５２】
まず、冷凍サイクルの動作について説明する。庫内の設定された温度に応じて制御基板３２からの信号により冷凍サイクルが動作して冷却運転が行われる。圧縮機１６の動作により吐出された高温高圧の冷媒は、凝縮器１７にて放熱して凝縮液化し、キャピラリ２８に至る。その後、キャピラリ２８ではサクションライン３６と熱交換しながら減圧されて低温低圧の液冷媒となって蒸発器２０に至る。
【００５３】
冷却ファン２１の動作により、庫内の空気と熱交換されて蒸発器２０内の冷媒は蒸発気化する。低温の冷気を図示しないダンパなどで分配することで各室の冷却を行う。蒸発器２０を出た冷媒はサクションライン３６を経て圧縮機１６へと吸い込まれる。
【００５４】
このように運転を繰り返して高温になる圧縮機１６や凝縮器１７を断熱箱体１の天面に配置することにより、熱のこもりによる断熱性能の低下がなく省エネに有利である。
【００５５】
また、庫内へのでっぱりを小さくすることで無効部による内容積の減少を低減できるとともに庫内を階段状にでっぱりを最小限にすることで段差を小さく目立たなくすることができる。
【００５６】
そして、照明装置４１は庫内凸部４０にあるため、光源である電球が庫内の奥行き方向に中央寄りの最上部に位置できるので、光が庫内全体に届きやすくなっていることに加えて、透明なランプカバー４２が、前面と下面にまたがっているため、下方に光が照射されることになり、陰ができやすく暗くなりやすい下面、奥面まで光が届き、少ない光源でも照明効果を高くすることができる。また、ランプ切れなどのサービス時には切欠き部４６に指を引っ掛けて取り外しできる。比較的手前にあるため、手が届きやすく、作業しやすい。また、照明装置４１内には長時間扉を開けた場合の配慮として、光源の熱でランプカバー４２を変形させないために距離をとるための空間と熱がこもらないよう、ランプカバー４２の切欠き部４６とスリット穴４５により熱が逃げるようになっている。また、庫内と庫外を断熱する断熱層とあわせて相当な空間が必要となり、通常であれば照明部は壁面より突出してしまうが、本構成ではすぐ背面に比較的高温である圧縮機１６があり、その熱によって前記断熱層は薄壁が可能となる。そのため、照明装置４１は庫内凸部４０からほとんど突出することなく配設することができ、庫内の収納性を阻害することはない。
【００５７】
また、照明装置４１の背面側には制御基板３２があり、組立工程においてコード４７の長さも最小限に短くすることができ、安価な構成が可能となる。もちろん、前記圧縮機が断熱箱体底部にないので下段の貯蔵室の内容積と奥行きを拡大することができる。
【００５８】
さらに、ランプカバー４２の表面にレンズカット形状を用いることによって、光が拡散し、より広範囲を照射することもできる。
【００５９】
一方、凝縮器１７を圧縮機１６とは別の区画に配設しているので温度影響を受けることなく、薄型で表面積を大きくとることができるので、放熱効率がよく、通風抵抗を小さく設計可能であるので、凝縮器１７の能力を最大限に引き出すことが可能となり、さらに最上天面に凝縮器１７を配置するため、熱のこもりがないので断熱箱体１への熱負荷が軽減され省エネに効果がある。
【００６０】
（実施の形態２）
図２は、本発明の実施の形態２における冷蔵庫の概略正面図を示すものであり、図３は概略背面図を示すものである。なお、背景技術と同一構成については同一符号を付す。
【００６１】
図２と図３において、第二の天面部２６と相対する庫内凸部４０に、正面から見て左右に離れて照明装置４１が複数箇所に設けており、背面の圧縮機１６は左右方向に中央寄りに配設され、圧縮機１６と接続された配管部４８は正面からみて左右方向に配設されている。このため、照明部を背面に配置された圧縮機の配管部の無効空間に突出させることができ、背面に十分な壁厚を確保することが可能になる。照明装置４１は、庫内側にランプカバー４２が突出することなく、庫内の食品収納性をそこなうことなく構成できる。また、電球４３が複数個になるため、庫内の明るさも十分確保できる。さらに、背面側の圧縮機１６の配管溶接部も作業性のよい背面に直線部で構成できるとともに、断熱箱体の配管固定部とを距離をもって接続することができるため、配管振動を低減することもできる。
【００６２】
（実施の形態３）
図４は、本発明の実施の形態３における冷蔵庫の概略正面図を示すものであり、図５は概略断面図を示すものである。なお、背景技術と同一構成については同一符号を付す。
【００６３】
図４と図５において、第二の天面部２６と相対する庫内凸部４０の角部に、ランプカバー４８が、正面から見て少なくとも中心から左右方向に庫内幅の半分以上の幅にわたって設けてあり、断面は略Ｌ字形をしている。光源には、幅方向に長い蛍光管もしくはＬＥＤ発光素子４９が取り付けられている。蛍光管もしくはＬＥＤ発光素子４９の発熱量は比較的低いため、照明装置５０内の空間５１は電球等を用いる場合とくらべ、大幅にすくなくてすみ、ランプカバー４８が庫内に突出することはない。しかも、光源が比較的光量が小さくても、左右方向に長く確保できるため、十分な明るさを得ることが可能である。この構成により、背面の圧縮機１６の位置にかかわらず、庫内収納性の向上できる照明装置を提供できる。
【００６４】
（実施の形態４）
図６は、本発明の実施の形態４における冷蔵庫の概略断面図を示すものである。なお、背景技術と同一構成については同一符号を付す。
【００６５】
図６において、背面方向に向かって階段状に凹みを設けて第一の天面部２５と第二の天面部２６と第三の天面部２７を形成した断熱箱体において、第一の天面部２５と第二の天面部２６を前後方向に接続する面と第二の天面部２６とで段差部２６ａが形成されており、第二の天面部２６と第三の天面部２７とを前後方向に接続する面と第三の天面部２７とで第二の段差部２７ａが形成されている。段差部２６ａと相対する庫内側に形成された庫内凸部４０の角部を含む領域と、この庫内凸部４０の下方に隣接する第二の段差部２７ａと相対する庫内側に形成された庫内第二凸部５２の角部を含む領域にそれぞれ照明装置４１ａ，４１ｂを設けてある。
【００６６】
すなわち、庫内凸部４０の下端面を基準として見れば、この下端面より上部の空間となる庫内凸部４０の前方空間である庫内最上段収納棚８ａ上の収納空間に面して一つの照明装置４１ａが配置され、前記下端面より下部の空間となる庫内凸部４０の隣接する下方空間である庫内最上段収納棚８ａ直下の収納空間に面してもう一つの照明装置４１ｂが配置されるものである。
【００６７】
照明装置４１の構造は実施の形態１と同様である。この構成により、庫内への出っ張りによって発生する特に奥の影になる部分にも光を照射することができ、探しにくい奥の食品を探し出すのに有効となる。さらにそれぞれのランプカバー４２ａ，４２ｂは庫内に突出はほとんどないため、スッキリとした、収納性にすぐれた庫内を提供できる。
【００６８】
また、庫内凸部４０の下端面の上下両側に照明が配置されることで、庫内凸部の前方および下方にも光が行き届くこととなり、庫内凸部の陰ができないので、使用者が視覚的感じる庫内凸部の出っ張り感自体を軽減することができる。
【００６９】
また、一方の照明装置４１ａを最上段収納棚８ａの背面の角部領域に配置することで、冷蔵室２の天面断熱壁が陰になってキッチンなどの室内照明が届きにくい最上部を照らすことがで、人間の視覚は同じスペースであれば、その空間が明るい程広く見えるという視覚効果があるので、このように照明を配置することで、庫内の棚の中で最上段収納棚８ａが照明によって最も明るく照らされ、最も奥行きが狭く収納空間の小さい最上段収納棚８ａが実際の空間よりもより広く感じられるので、使用者が視覚的感じる庫内凸部の出っ張り感をさらに軽減することができる。
【００７０】
さらに、２つの照明装置４１ａ，４１ｂは奥行き方向にずらして配置してあるので、光りの投射方向が前後にずれて冷蔵室２内に対して効率の良い照明が可能である。
【００７１】
同時に、照明装置４１ａは冷蔵室２の背面より前方にシフトして配置されることになるので、２段目以下の収納棚にとっては背面からでなく、上方から照明することとなり、使用頻度の高い２段目以下の収納部分に対しては手元に近い照明で見やすく、使い勝手面で極めて有効である。
【００７２】
すなわち、冷蔵室２内に対する照明配置において、庫内凸部４０の下端面より下部のほぼ直方体状の庫内領域に対しての照明は、背面からの照明４１ｂに加えてあたかも上面からの照明が与えられて２方向から照明される構成となり、日常的に使用頻度の高いこの領域の照明を奥行き方向で立体的に照明することができ、冷蔵庫本体の上部に少なくとも圧縮機を含めた冷却ユニットを配置する所謂トップユニット型冷蔵庫にあっても、庫内凸部４０の存在によるデメリットと見られがちな一面を逆利用して、実用面で明るく効果的な庫内照明が実現でき、冷蔵室２の使い勝手を、むしろ従来にも増して向上することができるものである。
【００７３】
本実施の形態では、照明装置４１ａを庫内凸部４０の角部領域に配置しているので、最上段収納棚８ａに置かれた収納物によっても光が遮られることがなく、２段目以下の収納部分に対しての上述の照明効果による使い勝手の良さを常に享受することができる。
【００７４】
なお、段差部２６ａは、図６のように圧縮機１６の収容に支障がない範囲で傾斜面を形成するようにできれば、照明装置４１ａを庫内凸部４０の角部に食い込んで配置することによっても相対する断熱壁の厚みを薄くせず断熱性を確保したり、発泡断熱材である硬質ウレタンフォームの充填，流動性を確保することが容易となって好都合であるが必ずしもこの構成に限るものではない。また、断熱壁の高断熱化は、厚みを増やさず、たとえば真空断熱材の配設などによっても可能であるので段差部２６ａの形状は必要に応じた面形状を採用しても構わない。
【００７５】
また、本実施の形態では、照明装置４１ｂを庫内第二凸部５２の角部を含む領域に２段目の収納棚上の収納空間に臨むように設けたが、上述の主旨によれば照明装置４１ｂは必ずしもこの位置に特定されなくてもよく、もう少し下方に離れて２段目の収納空間に対応するものでなく冷蔵室２の背面の適所に配置するものであっても期待する効果をほぼ得ることができる。
【００７６】
（実施の形態５）
図７は、本発明の実施の形態５における冷蔵庫の概略断面図を示すものである。なお、背景技術と同一構成については同一符号を付す。
【００７７】
図７において、背面方向に向かって階段状に凹みを設けて第一の天面部２５と第二の天面部２６を形成し、その間に充填される断熱材で構成される断熱箱体１において、第一の天面部２５には凝縮器１７および天面カバー３４が固定されている。第一の天面部２５の相対する庫内面１１には、庫内天面部の幅方向におけるほぼ中央部に凹部５３を設け、そこに照明装置５４を配置してあり、庫内凹部５３は、ホルダー５６とソケット４４と電球４３およびランプカバー５５で構成されている。また、庫内凸部１１３の下方の背壁面である庫内の上から２段目の収納空間６１の背面の幅方向における中央部にも照明装置６４を配置してあり、同様にホルダー６５とソケット（図示せず）と電球６７およびランプカバー５５で構成されている。
【００７８】
また、庫内凸部１１３の前方に収納空間を区画する最上段収納棚８ａは、透光性のたとえば透明の樹脂成形の棚が用いられる。
【００７９】
この構成により、天井面に照明を配置することで、冷蔵庫の天面断熱壁が陰になって、キッチンなどの室内照明が行き届きにくい最上段をほぼ全面に渡って明るく照らすことができる。
【００８０】
また、庫内凸部４０の上下両側に照明が配置されることで、庫内凸部の前方および下方にも光が行き届くこととなり、庫内凸部の陰ができないので、使用者が視覚的感じる庫内凸部の出っ張り感を軽減することができる。
【００８１】
また、人間の視覚は同じスペースであれば、その空間が明るい程広く見えるという視覚効果があるので、このように照明を配置することで、庫内の棚の中で最上段収納棚８ａが照明によって最も明るく照らされ、最も奥行きが狭く収納空間の小さい最上段収納棚８ａが実際の空間よりもより広く感じられるので、使用者が視覚的感じる庫内凸部の出っ張り感をさらに軽減することができる。
【００８２】
また、２つの照明装置はお互いにランプ自身が他方のランプによって影を形成することがないように配置されており、また光の投射方向が異なるので、効率の良い照明が可能である。
【００８３】
また、照明装置５４は庫内天面の凹部に収納したことで、照明装置５４内の空間を十分確保でき、しかも凝縮器１７の熱で第一の天面部２５は暖められ、結露することないため、ランプカバー５５は庫内にほとんど突出しない。このため、最上段に食品を収納するのにでっぱりがじゃまにならない、スッキリとした、収納性にすぐれた庫内を提供できる。
【００８４】
また、最上段収納棚８ａが透光性を有しているので、天井面に照明装置５４を配置した場合でも棚によって光が遮られることがなく、２段目収納棚以下の空間にも照明装置５４の照明効果を及ぼすことができる。
【００８５】
なお、本実施の形態では、照明装置６４を２段目の収納棚上の収納空間に臨むように設けたが、上述の主旨によれば照明装置６４は必ずしもこの位置に特定されなくてもよく、もう少し下方に離れて２段目の収納空間に対応するものでなく冷蔵室２の背面の適所に配置するものであっても期待する効果をほぼ得ることができる。
【００８６】
また凝縮器１７は薄型で表面積を大きくとることができるので、放熱効率がよく、さらに通風抵抗を小さく設計可能であるので、性能を向上させて省エネを図ることや凝縮器の小型化を図ることも可能である。
【００８７】
（実施の形態６）
図８は、本発明の実施の形態６における冷蔵庫の概略断面図を示すものであり、図９は概略正面図を示すものである。なお、背景技術と同一構成については同一符号を付す。
【００８８】
図８と図９において、例えば硬質発泡ウレタンなどの断熱材で周囲と断熱して構成されている断熱箱体１００は複数の断熱区画に区分されており、上から回転扉タイプの冷蔵室１０１、並列に配置された引出しタイプの製氷室１０２と切替室１０３、その下方に引出しタイプの野菜室１０４、最下段に引出しタイプの冷凍室１０５の構成となっている。各断熱区画にはそれぞれ断熱扉がガスケットを介して密閉するよう設けられている。
【００８９】
冷蔵室回転扉１０６には光透過可能な材料で構成された扉ポケット１０７が収納スペースとして設けられており、冷蔵室庫内には複数の光透過可能な材料で構成された収納棚１０８と最下部には引出し可能な貯蔵ケース１０９が設けてある。また、冷蔵室回転扉１０６の開閉を検知する扉開閉検知手段１１０が設けられており、冷蔵室回転扉１０６が開いているか閉まっているかを検出する。扉開閉検知手段１１０は扉が閉まると動作する庫内に設けたリミットスイッチであり、もしくは、扉閉止時に扉に設けた磁石と近接するホール素子を用いた非接触スイッチであってもよい。
【００９０】
冷蔵室１０１は冷蔵保存のために凍らない温度を下限に通常１〜５℃で設定されている。また、貯蔵ケース１０９は肉魚などの保鮮性向上のため比較的低めの温度、たとえば−３〜１℃で設定される。野菜室１０４は冷蔵室１０１と同等もしくは若干高い温度設定の２℃〜７℃とすることが多い。なお、野菜室１０４は低温にするほど葉野菜の鮮度を長期間維持することが可能である。
【００９１】
製氷室１０２や冷凍室１０５は冷凍保存のために通常−２２〜−１８℃で設定されているが、冷凍保存状態の向上のために、たとえば−３０や−２５℃の低温で設定されることもある。製氷室１０２は氷の保存が主体のために−１２℃以下の比較的高い冷凍温度設定で省エネ運転を図ることもある。
【００９２】
切替室１０３は冷凍温度から野菜温度まで多段階で切替可能であり、使用者が使用可能なコントロールパネル（図示せず）で温度設定できる。
【００９３】
断熱箱体１００の天部は第一の天面部１１１と、背面側で第一の天面部１１１より低い位置に設けた第二の天面部１１２とで構成されている。したがって、冷蔵室１０１の庫内天面奥部は第二の天面部１１２の庫内凸部１１３が生じている。
【００９４】
庫内凸部１１３は庫内最上段収納棚１０８ａよりも概ね上方に位置してあり、庫内凸部１１３と隣接する庫内角部１１３ａ、１１３ｂを含む領域にはそれぞれ照明装置が設けられており、庫内凸部の上部側の庫内角部１１３ａを含む領域には第一の庫内照明装置１１４が備えられ、庫内凸部の後方側の隣接する庫内角部１１３ｂを含む領域には第二の照明装置１１９が備えられている。具体的には、庫内凸部の前壁面には第一の庫内照明装置１１４が中央部に設けてある。収納棚１０８は照明の光が透過するように、たとえばガラスやプラスチックなどの材料で透明に作られている。
【００９５】
第一の庫内照明装置１１４は前方と下方に光が拡散するように、第一のランプカバー１１５が着脱可能に設けられ、内部にランプ１１６を着脱可能に設けたソケット１１７が庫内背壁面に取り付けられている。ランプ１１６はＡＣタイプでもＤＣタイプでもよく、ＬＥＤであってもよい。ＤＣタイプやＬＥＤでは発熱量が小さいので周辺部材の耐熱設計が容易であり、照明装置空間も小さくてすむ。さらにＬＥＤでは寿命が長いので、ランプ交換の手間がなくなる。また、ミシン球のようなＡＣタイプであれば、ランプが低コストとなる。
【００９６】
なお、簡易に着脱可能なカバーとしたのでランプ１１６の交換が容易にできる。
【００９７】
また、庫内凸部１１３の下方には照明装置収納部１１８が設けられ、第二の庫内照明装置１１９が収納されている。この照明装置収納部１１８は断熱性の問題が解決できれば、庫内背面の断熱材を窪ませて形成することが望ましく、本発明では凹部の背面に十分な断熱材が確保できる為に冷蔵室の断熱性能に影響が無い範囲でのみ凹部を形成している。
【００９８】
第二の庫内照明装置１１９は最上段収納棚１０８ａと２段目収納棚１０８ｂの間で、正面から見て幅方向のほぼ中央部に配置されており、第一の庫内照明装置１１４と奥行き方向に位置をずらして配置してある。
【００９９】
また、第二の庫内照明装置１１９は一部を断熱材壁面から庫内に突出した構成となっており、前面には工具なしで着脱可能な第二のランプカバー１２０が設けられている。また内部には第一の照明装置１１４と同様、ランプ１１６とソケット１１７が設けられている。
【０１００】
また、断熱箱体１００の冷蔵室１０２背面には基板収納部１２１が独立した窪み部で構成されている。基板収納部１２１は照明装置収納部１１８の下方に、所定の断熱壁厚さを確保したうえで断熱材を窪ませて構成している。ちょうど、第二の天面部１１２と収納装置収納部１１８と基板収納部１２１が上下方向に並んで配置されている。
【０１０１】
基板収納部１２１には制御基板１２２が収納されており、基板カバー１２３によってフォームシールして密閉されている。
【０１０２】
冷凍サイクルは圧縮機１３０と凝縮器（図示せず）と減圧器であるキャピラリ（図示せず）と水分除去を行うドライヤ（図示せず）と蒸発器１３２とを環状に接続して構成されている。凝縮器（図示せず）と蒸発器１３２は機械室ファン（図示せず）と冷却ファン１３３とで強制対流熱交換させている。
【０１０３】
冷凍サイクルの構成部品である圧縮機１３０は第二の天面部１１２の上方空間である機械室１３４に備えられており、凝縮器（図示せず）はワイヤータイプやフィンコイルタイプやスパイラルフィンタイプなどの薄型構成で第一の天面１１１上部にダクトを形成するカバーとともに配置してもよいし、断熱箱体１００底面に設けてもよい。また、強制対流方式のものに加えて、断熱箱体１００の外周鋼板を利用して自然放熱するための配管や、各室断熱扉体間の仕切りに配設して防滴防止を行うための配管を組み合わせてもよい。
【０１０４】
また、機械室１３４には天面部と背面部をビスなどで取外し可能に機械室カバー１３５が一部品もしくは二部品構成で設けられている。
【０１０５】
また、冷凍サイクルの構成機器である蒸発器１３２は冷却ファン１３３と共に、中段に位置する野菜室１０４と最下段の冷凍室１０５の背面部に設けられている。
【０１０６】
以上のように構成された冷蔵庫について、以下その動作、作用を説明する。
【０１０７】
まず、冷凍サイクルの動作について説明する。庫内の設定された温度に応じて制御基板１２２からの信号により冷凍サイクルが動作して冷却運転が行われる。まず圧縮機１３０の動作により吐出された高温高圧の冷媒は、凝縮器（図示せず）にて放熱して凝縮液化し、キャピラリ（図示せず）に至る。その後、キャピラリ（図示せず）では減圧されて低温低圧の液冷媒となって蒸発器１３２に至る。
【０１０８】
冷却ファン１３３の動作により、庫内の空気と熱交換されて蒸発器１３２内の冷媒は蒸発気化する。低温の冷気をダンパ（図示せず）やダクト構成などで分配することで各室の冷却を行う。また複数の蒸発器を用いる場合は流路制御手段（図示せず）により必要な蒸発器へ冷媒が供給される。蒸発器１３２を出た冷媒は吸入配管（図示せず）を経て圧縮機１３０へと吸い込まれる。
【０１０９】
庫内各室の温度が設定温度以下となったら、圧縮機１３０の運転は停止される。
【０１１０】
また、使用者が食品などの出し入れのために冷蔵室回転扉１０６が開けられると、扉開閉検知手段１１０が扉の開放を検出し、制御手段により第一、第二の庫内照明装置１１４、１１９が点灯される。冷蔵室回転扉１０６が閉まれば消灯される。
【０１１１】
第一の照明装置１１４を最上段収納棚１０８ａの背面に配置することで、冷蔵室１０１の天面断熱壁が陰になってキッチンなどの室内照明が届きにくい最上部を照らすとともに、庫内凸部１１３だけ背面から前方にシフトした位置に照明を配置するので、手元を明るく照らすことができる。また、収納棚１０８も透明としたので下方への光をさえぎることがない。
【０１１２】
また天井面に照明を配置した場合に、最上段収納棚１０８ａに置かれた収納物によって光りがさえぎられる状況を回避し、２段目収納棚１０８ｂ上の空間およびそれ以下の空間にも第一の照明装置１１４の下方から照明可能であり、最上段で光がさえぎられることがない。さらに第一の照明装置１１４は背面より前方にシフトして配置されているので、２段目以下の収納棚にとっては背面からでなく、上方から照明することとなり、手元に近い照明で見やすく、使い勝手の向上面で極めて有効である。
【０１１３】
すなわち、冷蔵室１０１内に対する照明配置において、庫内凸部１１３の下端面より下部のほぼ直方体状の庫内領域に対しての照明は、背面からの第二の庫内照明装置１１９に加えてあたかも上面からの照明が与えられて２方向から照明される構成となり、日常的に使用頻度の高いこの領域の照明を奥行き方向で立体的に照明することができ、冷蔵庫本体の上部に少なくとも圧縮機を含めた冷却ユニットを配置する所謂トップユニット型冷蔵庫にあっても、庫内凸部１１３の存在によるデメリットと見られがちな一面を逆利用して、実用面で明るく効果的な庫内照明が実現でき、冷蔵室１０１の使い勝手を、むしろ従来にも増して向上することができるものである。
【０１１４】
また、第一のランプカバー１１５が第一の庫内照明装置１１４の下端面にまで回り込んで形成されたものであると、この下端面のランプカバー部を介して２段目収納棚１０８ｂ上の空間およびそれ以下の空間にも第一の照明装置１１４の下方から照明可能であり、最上段で光がさえぎられることを確実に防止できてより好都合である。この場合、この下端面のランプカバー部と透明の最上段収納棚１０８ａをほぼ面一に揃えると外観デザイン的にもすっきりとした統一感があり、照明効果上も段差が目立たず扉開時の庫内の印象が好ましいものになる。
【０１１５】
さらに２段目の背面に照明を配置したので、庫内凸部１１３が影になることなく庫内全面を明るくすることができる。このように、庫内凸部１１３の上下両側に照明が配置されることで、庫内凸部の前方および下方にも光が行き届くこととなり、庫内凸部の陰ができないので、使用者が視覚的感じる庫内凸部の出っ張り感を軽減することができる。
【０１１６】
また、人間の視覚は同じスペースであれば、その空間が明るい程広く見えるという視覚効果があるので、このように照明を配置することで、庫内の棚の中で最上段収納棚１０８ａが照明によって最も明るく照らされ、最も奥行きが狭く収納空間の小さい最上段収納棚１０８ａが実際の空間よりもより広く感じられるので、使用者が視覚的感じる庫内凸部の出っ張り感をさらに軽減することができる。
【０１１７】
また庫内に照明装置が突出しているので下方にも光りが届く構成となっている。なお、庫内収納の阻害にならないように断熱壁を窪ませた照明装置収納部１１８となっているので、汎用で安価なミシン球のようなランプ１１６を用いても、庫内収納性を確保することができる。
【０１１８】
また、背面に用いた２つの照明装置は奥行き方向にずらして配置してあるので、ランプ自身が他のランプの影になることがなく、光りの投射方向が異なるので、効率の良い照明が可能である。
【０１１９】
さらに、使用者の最も手の届きにくい冷蔵室１０１の背面上方の最奥部を避けて、手前と下方に複数の照明装置を配置するので、ランプ１１６の交換が容易である。
【０１２０】
なお、第一、第二のランプカバー１１５、１２０は表面にセレーションや凸凹を形成することで光の乱反射を起こし、照明を拡散させることで、均一なやわらかい庫内照明とできる。
【０１２１】
また、本実施の形態では、第二の庫内照明装置１１９を２段目の収納棚上の収納空間に臨むように設けたが、上述の主旨によれば第二の庫内照明装置１１９は必ずしもこの位置に特定されなくてもよく、もう少し下方に離れて２段目の収納空間に対応するものでなく冷蔵室１０１の背面の適所に配置するものであっても期待する効果をほぼ得ることができる。
【０１２２】
また、第二の照明装置１１９の第二のランプカバー１２０を下方に延長することで、下方背面にも導光すれば、より下方の棚の明かりが確保される。
【０１２３】
また、第二の照明装置１１９と制御基板１２２を上下方向に配置したので、断熱壁の厚さを確保した上で庫内側において凸凹の少ない効率的な構成が可能となった。
【０１２４】
なお、第二の照明装置１１９と制御基板１２２を庫内凸部１１３の下方に配置したので、断熱壁の厚さを確保した上で庫内凸部１１３の庫内背面方向の段差を軽減し、見栄えよくすることができる。
【０１２５】
また、凝縮器１７を圧縮機１６とは別の区画に配設することにより温度影響を受けずに済むので凝縮器１７の能力を最大限に引き出すことが可能となり、消費電力量の低減ができる。
【０１２６】
またなお、基板収納部１２１は上部が深く、下部が浅い形状とし、制御基板１２２上の背の高い部品を上方にあつめ、背の低い部品を下方に集めてあり、収納形状に適合させている。さらに第二の庫内照明装置１１９より下方の冷蔵室背面を下方に行くほど奥へと傾斜させることで、ランプの下方空間が広がり、より下方に照明が届きやすくすることができる。
【０１２７】
またなお、中央に配した照明装置と制御基板の両側を用いて風路などの構成とすると、庫内に無駄な段差を生じさせることなくすっきりした冷蔵室１０１を提供できる。また照明装置の影の出にくい明るい庫内を提供できる。
【０１２８】
なお、第二の照明装置１１９は断熱壁に設けた窪みに配設するために熱がこもりやすい問題があるが第二のランプカバー１２０の上下に空気穴を設けることで対流が生じ温度低減が可能である。さらにランプは扉開放時のみ点灯するために通常は短時間の動作であるが、半ドアなどで長時間の点灯時に対応するために、所定時間の連続点灯がつづけば消灯させる制御動作を設けると温度上昇を防止可能である。
【産業上の利用可能性】
【０１２９】
以上のように、本発明による冷蔵庫は、人間が使う際に最も使いにくい場所に冷却システムのユニットを配置することにより、使いやすい室の収納量を拡大し、かつ照明により出し入れの際の使い勝手を向上させることが可能となる。また、放熱効率のよい冷却システムとなり、消費電力量低減を図ることが可能となる。
【０１３０】
以上のような効果から、冷蔵庫以外の冷凍機器等の用途にも適用できる。
【図面の簡単な説明】
【０１３１】
【図１】本発明の実施の形態１における冷蔵庫の概略断面図
【図２】本発明の実施の形態２における冷蔵庫の概略正面図
【図３】本発明の実施の形態２における冷蔵庫の概略背面図
【図４】本発明の実施の形態３における冷蔵庫の概略正面図
【図５】本発明の実施の形態３における冷蔵庫の概略断面図
【図６】本発明の実施の形態４における冷蔵庫の概略断面図
【図７】本発明の実施の形態５における冷蔵庫の概略断面図
【図８】本発明の実施の形態６における冷蔵庫の概略断面図
【図９】本発明の実施の形態６における冷蔵庫の概略正面図
【図１０】従来の冷蔵庫の概略断面図
【符号の説明】
【０１３２】
１    断熱箱体
８，８ａ，１０８，１０８ａ，１０８ｂ  収納棚
１６  圧縮機
１７  凝縮器
２５  第一の天面部
２６  第二の天面部
２６ａ  段差部
２７  第三の天面部
２７ａ  第二の段差部
３２，１２２  制御基板
４０，１１３  庫内凸部
４１，４１ａ，４１ｂ，５０，５４，６４，１１４，１１９  照明装置
４２，４２ａ，４８，５５，１１５  ランプカバー
４８  冷媒配管
４９  蛍光管もしくはＬＥＤなどの発光素子
５２  庫内第二凸部
５３  庫内凹部
１１３ａ，１１３ｂ  庫内角部
【要約】
【課題】最下段の引出し貯蔵室の内容積と奥行きを最大化すると共に、圧縮機を配置するための庫内最上段奥部のでっぱりを軽減し、庫内の照明効果を向上させる。
【解決手段】冷蔵庫本体である第一の天面部２５と第二の天面部２６有して冷蔵庫の天面部に段差部２６ａを形成しており、第二の天面部に圧縮機１６を配置し、段差部２６ａと相対する庫内側に形成された庫内凸部４０の下端面より上側に第一の庫内照明装置１１４を設置し、庫内凸部４０の下端面より下側第二の庫内照明装置１１９を設けている。
これによって、照明装置の庫内へのでっぱり感を低減し、収納性を高めるとともに庫内の照明効果を向上させることができ、庫内収納物が見やすくなるとともに、庫内のスッキリ感を向上させることができる。
【選択図】図１
【図１】
0003722153.tif 000002
【図２】
0003722153.tif 000003
【図３】
0003722153.tif 000004
【図４】
0003722153.tif 000005
【図５】
0003722153.tif 000006
【図６】
0003722153.tif 000007
【図７】
0003722153.tif 000008
【図８】
0003722153.tif 000009
【図９】
0003722153.tif 000010
【図１０】
0003722153.tif 000011